(57)【要約】【課題】  １つのランプシェードで異なる２色の光を放射可能な照明装置を提供する。【解決手段】  発光ダイオード２００は、給電されると二色性フィルタ１００に光を放射する。二色性フィルタ１００に放射された光のうち、波長が所定の波長範囲内にある第１の光線２１０は、二色性フィルタ１００を通過してランプシェード３００の第１の位置３１０に照射される。また、波長が所定の波長範囲外にある第２の光線２２０は、二色性フィルタ１００に屈折されて、ランプシェード３００の第２の位置３２０に照射される。波長範囲が異なる光は、異なる色を持っているので、ランプシェード３００に照射された第１の光線２１０および第２の光線２２０は、それぞれ異なる色である。これにより、ランプシェード３００には２種類以上の異なる色の光を照射することができる。【選択図】  図３
0003180994.tif 000002
【実用新案登録請求の範囲】
【請求項１】
二色性フィルタと、
前記二色性フィルタに光を放射する発光ダイオードと、
前記二色性フィルタと前記発光ダイオードとを取り巻くランプシェードと、
前記発光ダイオードの周囲を取り巻き、前記発光ダイオードが放射する光を反射し、反射する光の光線視野角が３０〜９０度の範囲であるリフレクタシェードと、
を備えることを特徴とする照明装置。
【請求項２】
前記発光ダイオードの周囲を取り巻き、前記発光ダイオードが放射する光を反射するリフレクタシェードを更に備えることを特徴とする請求項１に記載の照明装置。
【請求項３】
前記リフレクタシェードが反射する光の光線視野角が３０〜９０度の範囲であることを特徴とする請求項２に記載の照明装置。
【請求項４】
二色性フィルタと、
前記二色性フィルタに光を放射する発光ダイオードと、
前記二色性フィルタの片側に位置する映写幕と、
前記発光ダイオードの周囲を取り巻き、前記発光ダイオードが放射する光を反射し、反射する光の光線視野角が３０〜９０度の範囲であるリフレクタシェードと、
を備えることを特徴とする照明装置。
【請求項５】
前記発光ダイオードの周囲を取り巻き、前記発光ダイオードが放射する光を反射するリフレクタシェードを更に備えることを特徴とする請求項４に記載の照明装置。
【請求項６】
前記リフレクタシェードが反射する光の光線視野角が３０〜９０度の範囲であることを特徴とする請求項５に記載の照明装置。
【請求項７】
二色性フィルタと、
前記二色性フィルタに光を放射し、所定の波長領域内の光は前記二色性フィルタを通過し、所定の波長領域外の光は前記二色性フィルタに屈折される発光ダイオードと、
前記二色性フィルタを通過する光と前記二色性フィルタに屈折される光が照射されるランプシェードと、
前記発光ダイオードの周囲を取り巻き、前記発光ダイオードが放射する光を反射し、反射する光の光線視野角が３０〜９０度の範囲であるリフレクタシェードと、
を備えることを特徴とする照明装置。
【請求項８】
前記発光ダイオードの周囲を取り巻き、前記発光ダイオードが放射する光を反射するリフレクタシェードを更に備えることを特徴とする請求項７に記載の照明装置。
【請求項９】
前記リフレクタシェードが反射する光の光線視野角が３０〜９０度の範囲であることを特徴とする請求項８に記載の照明装置。
【考案の詳細な説明】
【技術分野】
【０００１】
本考案は、装飾用の照明装置に関する。
【背景技術】
【０００２】
照明装置の作用として、照明用の他に装飾用途がある。照明装置を装飾用とする従来の技術では、光を着色されたランプシェードに放射することによりランプシェードを透過した光は、ランプシェードと同色の光となる。光の色は、ランプシェードが持っている色の数次第である。
【０００３】
光を着色されたフィルタを透過させてフィルタと同色の光とする技術もある。
【考案の概要】
【考案が解決しようとする課題】
【０００４】
しかしながら、この技術は、単色の光しか放射できない。
【０００５】
本考案の目的は、１つのランプシェードで異なる２色の光を放射可能な照明装置を提供することにある。
【課題を解決するための手段】
【０００６】
本考案の照明装置は、二色性フィルタ（ｄｉｃｈｒｏｉｃ  ｆｉｌｔｅｒ）と、発光ダイオードと、ランプシェードとを備える。発光ダイオードは、二色性フィルタに光を放射する。ランプシェードは、発光ダイオードと二色性フィルタの周囲とを取り巻く。これにより、ランプシェードには２種類以上の異なる色の光が照射される。
【０００７】
また、本考案の照明装置は、二色性フィルタと、発光ダイオードと、映写幕とを備える。発光ダイオードは二色性フィルタに光を放射する。映写幕は二色性フィルタの片側に位置する。これにより、映写幕には２種類以上の異なる色の光が照射される。
【０００８】
また、本考案の照明装置は、二色性フィルタと、発光ダイオードと、ランプシェードとを備える。発光ダイオードは二色性フィルタに光を放射する。発光ダイオードが放射する光のうち、所定の波長範囲内の光は二色性フィルタを通過し、所定の波長範囲外の光は二色性フィルタに屈折される。二色性フィルタを通過した光と二色性フィルタに屈折された光は、共にランプシェードに照射される。これにより、ランプシェードには２種類以上の異なる色の光が照射される。
【図面の簡単な説明】
【０００９】
【図１】本考案の第１実施形態の照明装置の立体図である。
【図２】図１の分解図である。
【図３】図１の線３−３に沿っている断面図である。
【図４】本考案の第２実施形態の照明装置の立体図である。
【図５】図４の分解図である。
【図６】図４の発光ダイオードの光が映写幕に照射した側面図である。
【図７】図３の発光ダイオードの光線視野角が約９０度である断面図である。
【図８】図３の発光ダイオードの光線視野角が約１２０度である断面図である。
【考案を実施するための形態】
【００１０】
（第１実施形態）
本考案の第１実施形態の照明装置の立体図である図１と、図１の分解図である図２とを参照する。本実施形態において、照明装置は、二色性フィルタ１００と、発光ダイオード２００と、ランプシェード３００とを備える。発光ダイオード２００は、二色性フィルタ１００に光を放射することに用いられ、ランプシェード３００は、発光ダイオード２００と二色性フィルタ１００の周囲とを取り巻く。
【００１１】
照明装置は、ハウジング５００を更に備える。ハウジング５００は、ベース５１０と、カバーボード５２０と、放熱部材５３０と、端子５４０とを含む。カバーボード５２０、放熱部材５３０、および端子５４０は、それぞれベース５１０に接続される。発光ダイオード２００は、放熱部材５３０に設けられ、二色性フィルタ１００は、カバーボード５２０に設けられ、ランプシェード３００は、ベース５１０に設けられる。
【００１２】
図３は、図１の線３−３に沿っている断面図である。発光ダイオード２００によって二色性フィルタ１００に放射された所定の波長範囲内の光は、二色性フィルタ１００を通過し、所定の波長範囲外の光は、二色性フィルタ１００に屈折される。二色性フィルタ１００を通過した光と二色性フィルタ１００に屈折された光は、ランプシェード３００に照射される。
【００１３】
発光ダイオード２００は、給電されると二色性フィルタ１００に光を放射する。二色性フィルタ１００に放射された光のうち、波長が所定の波長範囲内にある第１の光線２１０は、二色性フィルタ１００を通過してランプシェード３００の第１の位置３１０に照射される。波長が所定の波長範囲外にある第２の光線２２０は、二色性フィルタ１００に屈折されて、ランプシェード３００の第２の位置３２０に照射される。波長範囲が異なる光は、異なる色を持っているので、ランプシェード３００に照射された第１の光線２１０および第２の光線２２０は、それぞれ異なる色であり、ランプシェード３００には２種類以上の異なる色の光が照射される。
【００１４】
なお、「所定の波長範囲」とは、二色性フィルタ１００の特性を指す。各種の二色性フィルタ１００は、所定の波長範囲内の光を通過させることができ、所定の波長範囲外の光を屈折する。そのうち、通過できる光の波長範囲が「所定の波長範囲」である。例えば、所定の波長範囲が４６５ｎｍ〜５２５ｎｍであるとき、波長が４６５ｎｍ以上である青色光及び緑色光を通過させることができ、波長が５２５ｎｍ以上である緑色光及び他の色の光を屈折する。また、例えば、所定の波長範囲が５２５ｎｍ〜５５０ｎｍであるとき、波長が５２５ｎｍ以上である緑色光を通過させることができ、波長が５５０ｎｍ以上である緑色光及び他の色の光を屈折する。二色性フィルタの所定の波長範囲をいかに決定するかについては、本願の技術特徴ではないため、ここで詳しく説明しない。
【００１５】
第１実施形態において、第２の光線２２０がランプシェード３００の第２の位置３２０に照射される場合、２色以上の光を放射することができる。例えば、二色性フィルタ１００の所定の波長範囲が５６０ｎｍ〜４９０ｎｍである場合、おおよそ緑色の光を通過させる。そのため、二色性フィルタ１００を通過した第１の光線２１０は緑色であり、ランプシェード３００の第１の位置３１０は緑色を呈する。二色性フィルタ１００に屈折された第２の光線２２０は、緑色の以外の光線である。波長が異なる光が屈折される場合、屈折角も異なるため、第２の光線２２０が二色性フィルタ１００に屈折された後、分光の効果も発生する。そのため、第２の光線２２０がランプシェード３００の第２の位置３２０に照射される場合、第２の位置３２０は青色と赤色とを呈する。更に、ランプシェード３００では、２種類以上の異なる色の光を照射することができる。
【００１６】
（第２実施形態）
本考案の第２実施形態の照明装置の立体図である図４と、本考案の図４の分解図である図５とを参照する。第２実施形態において、照明装置は、二色性フィルタ１００と、発光ダイオード２００と、映写幕４００とを備える。発光ダイオード２００は、二色性フィルタ１００に光を放射することに用いられ、映写幕４００は、二色性フィルタ１００の片側に設けられる。
【００１７】
照明装置は、ハウジング５００を更に備える。ハウジング５００は、ベース５１０と、カバーボード５２０と、放熱部材５３０と、端子５４０とを含む。カバーボード５２０、放熱部材５３０、端子５４０は、それぞれベース５１０に接続される。発光ダイオード２００は、放熱部材５３０に設けられ、二色性フィルタ１００は、カバーボード５２０に設けられる。映写幕４００は、壁面、天井板等の固定的な位置に位置決められ、又は安定なフレームに位置決めされてもよい。
【００１８】
図６は、図４の発光ダイオード２００の光が映写幕４００に照射した側面図である。図６に示すように、発光ダイオード２００が放射した光のうち、第１の光線２１０は、二色性フィルタ１００を通過し、第２の光線２２０は、二色性フィルタ１００に屈折される。二色性フィルタ１００を通過した第１の光線２１０および二色性フィルタ１００に屈折された第２の光線２２０は、それぞれ映写幕４００の第１の位置４１０および第２の位置４２０に照射される。これにより、映写幕４００には２種類以上の異なる色の光を放射され、装飾用とすることができる。
【００１９】
なお、図３および図６を別々に参照して、本考案の第１実施形態において、リフレクタシェード６００を更に備えてよい。リフレクタシェード６００は、発光ダイオード２００の周囲を取り巻き、発光ダイオード２００の発生した光を反射することに用いられ、光をリフレクタシェード６００の前方に向かって発生させる。光がリフレクタシェード６００に反射された光線視野角は、３０〜９０度の範囲内に設定されてよい。これにより、発光ダイオード２００が放射した第２の光線２２０は、二色性フィルタ１００に屈折された後、ランプシェード３００に第２の光線２２０の色をはっきりと映し出すことができる。
【００２０】
用語の「光線視野角」とは、側面から見える光線角度を指す。例えば、側面から見ると、発光ダイオード２００が放射した光がリフレクタシェード６００に反射される場合、光は扇形を呈し、この扇形の角度が光線視野角となる。
【００２１】
図３の光線視野角が約９０度である場合の断面図である図７を参照する。光線視野角が約９０度である場合、光が放射される最大角度には、第３の光線２３０と第４の光線２４０とを含む。そのうち、第３の光線２３０の波長は、二色性フィルタ１００の所定の波長範囲内にあり、第４の光線２４０の波長は、二色性フィルタ１００の所定の波長範囲外にある。第３の光線２３０と第４の光線２４０との間の領域は、屈折された光の色をはっきりと映し出せる領域である。図３の光線視野角が約１２０度である場合の断面図である図８を参照する。光線視野角が増加すると、光が放射される最大角度に含まれる第３の光線２３０と第４の光線２４０とは、それに伴ってシフトするが、第３の光線２３０と第４の光線２４０との間の領域は、小さくなる。光線視野角が大きいほど、屈折された光の色がはっきりと映し出せる領域は、それに伴って縮小することが分かった。そのため、光線視野角を３０度〜９０度の範囲内に設定することによって、屈折された光の色がはっきりと映し出せる領域を適度な大きさとすることができる。
【００２２】
なお、本考案の照明装置は、第１の光線２１０と第２の光線２２０とを利用して、植物に照射することもできる。照明装置を植物ランプとして使用すれば、植物の成長を促進できる。
【００２３】
本考案を前述の実施形態により上記のように開示したが、これは本考案を限定するものではなく、本考案の趣旨及び範囲から逸脱しない限り、当業者なら誰でも、多様な変更や修正を加えることができる。従って、本考案の保護範囲は、実用新案登録請求の範囲によって限定される。
【符号の説明】
【００２４】
１００  二色性フィルタ、
２００  発光ダイオード、
２１０  第１の光線、
２２０  第２の光線、
２３０  第３の光線、
２４０  第４の光線、
３００  ランプシェード、
３１０、４１０  第１の位置、
３２０、４２０  第２の位置、
４００  映写幕、
５００  ハウジング、
５１０  ベース、
５２０  カバーボード、
５３０  放熱部材、
５４０  端子、
６００  リフレクタシェード。
【図１】
0003180994.tif 000003
【図２】
0003180994.tif 000004
【図３】
0003180994.tif 000005
【図４】
0003180994.tif 000006
【図５】
0003180994.tif 000007
【図６】
0003180994.tif 000008
【図７】
0003180994.tif 000009
【図８】
0003180994.tif 000010
【手続補正書】
【提出日】平成24年3月16日(2012.3.16)
【手続補正１】
【補正対象書類名】実用新案登録請求の範囲
【補正対象項目名】全文
【補正方法】変更
【補正の内容】
【実用新案登録請求の範囲】
【請求項１】
二色性フィルタと、
前記二色性フィルタに光を放射する発光ダイオードと、
前記二色性フィルタと前記発光ダイオードとを取り巻くランプシェードと、
前記発光ダイオードの周囲を取り巻き、前記発光ダイオードが放射する光を反射し、反射する光の光線視野角が３０〜９０度の範囲であるリフレクタシェードと、
を備えることを特徴とする照明装置。
【請求項２】
二色性フィルタと、
前記二色性フィルタに光を放射する発光ダイオードと、
前記二色性フィルタの片側に位置する映写幕と、
前記発光ダイオードの周囲を取り巻き、前記発光ダイオードが放射する光を反射し、反射する光の光線視野角が３０〜９０度の範囲であるリフレクタシェードと、
を備えることを特徴とする照明装置。
【請求項３】
二色性フィルタと、
前記二色性フィルタに光を放射し、所定の波長領域内の光は前記二色性フィルタを通過し、所定の波長領域外の光は前記二色性フィルタに屈折される発光ダイオードと、
前記二色性フィルタを通過する光と前記二色性フィルタに屈折される光が照射されるランプシェードと、
前記発光ダイオードの周囲を取り巻き、前記発光ダイオードが放射する光を反射し、反射する光の光線視野角が３０〜９０度の範囲であるリフレクタシェードと、
を備えることを特徴とする照明装置。